(57)【要約】【課題】  デュアルビュー表示において、タッチ操作がいずれの映像に対して有効であるかの判断を容易かつ確実に行うことができるようにする。【解決手段】  タッチパネル１６に視聴者Ａタッチ専用エリア１６ａ及び視聴者Ｂタッチ専用エリア１６ｂを設けるとともに、タッチパネル１６によってタッチ検出が行われ、タッチ位置検出回路１８からタッチ位置の座標データが出力されると、制御ＣＰＵ１０により、その座標データに基づき、視聴者Ａタッチ専用エリア１６ａ又は視聴者Ｂタッチ専用エリア１６ｂのいずれがタッチされたかの判断が行われ、タッチされた視聴者Ａタッチ専用エリア１６ａ又は視聴者Ｂタッチ専用エリア１６ｂに対応する映像を認識して表示動作を制御するようにする。【選択図】  図１
2005071286.tif 000002
【特許請求の範囲】
【請求項１】
複数の画像データに基づいた映像のシングルビュー表示又はデュアルビュー表示が可能な表示手段と、
前記表示手段の前面に重ね合わされ、タッチ検出を行うとともに、第１のタッチ専用エリア及び第２のタッチ専用エリアを有するタッチ検出手段と、
前記表示手段に対し、前記シングルビュー表示又はデュアルビュー表示を行わせる表示制御手段と、
前記タッチ検出手段へのタッチ位置を検出してその座標データを出力するタッチ位置検出手段と、
前記表示手段によってデュアルビュー表示が行われているとき、前記タッチ位置検出手段からの座標データに基づき、前記第１のタッチ専用エリア又は前記第２のタッチ専用エリアのいずれがタッチされたかを判断し、タッチされた前記第１のタッチ専用エリア又は前記第２のタッチ専用エリアに対応する前記映像を認識して前記表示制御手段による表示動作を制御する制御手段とを備える
ことを特徴とする表示装置。
【請求項２】
前記制御手段は、前記タッチされた第１のタッチ専用エリア又は第２のタッチ専用エリアに対応する映像を認識すると、前記対応する映像を操作するための操作画面を表示させるように、前記表示制御手段による表示動作を制御することを特徴とする請求項１に記載の表示装置。
【請求項３】
前記タッチ検出手段は、縦方向に２分割した領域の一方を前記第１のタッチ専用エリアとし、前記領域の他方を前記第２のタッチ専用エリアとして有していることを特徴とする請求項１又は２に記載の表示装置。
【請求項４】
前記タッチ検出手段は、横方向に２分割した領域の一方を前記第１のタッチ専用エリアとし、前記領域の他方を前記第２のタッチ専用エリアとして有していることを特徴とする請求項１又は２に記載の表示装置。
【請求項５】
前記タッチ検出手段は、縦方向に２分割した領域の一方の一部を前記第１のタッチ専用エリアとし、前記領域の他方の一部を前記第２のタッチ専用エリアとして有していることを特徴とする請求項１又は２に記載の表示装置。
【請求項６】
前記タッチ検出手段は、横方向に２分割した領域の一方の一部を前記第１のタッチ専用エリアとし、前記領域の他方の一部を前記第２のタッチ専用エリアとして有していることを特徴とする請求項１又は２に記載の表示装置。
【請求項７】
前記タッチ検出手段は、電磁誘導式、電気抵抗式、静電容量式、感圧式のいずれかによってタッチ検出を行うタッチパネルであることを特徴とする請求項１〜６のいずれかに記載の表示装置。
【請求項８】
前記制御手段は、ビュー切替え手段の操作に応じて、前記シングルビュー表示又はデュアルビュー表示を行わせるように、前記表示制御手段による表示動作を制御することを特徴とする請求項１〜７のいずれかに記載の表示装置。
【請求項９】
前記制御手段は、映像逆転切替え手段の操作に応じて、前記デュアルビュー表示における映像を入れ替えて表示させるように、前記表示制御手段による表示動作を制御することを特徴とする請求項１〜７のいずれかに記載の表示装置。
【請求項１０】
前記表示手段は、
液晶層に印加される電界の強さに応じて透過する光の量を調節し、所望の映像を表示させる液晶表示パネルと、
不透明領域によって隔たれた垂直な透光性スリットを複数有し、前記液晶表示パネルに表示されるそれぞれ異なる映像が空間上の規定された領域からしか見えないようにする光学系分離手段とを備える
ことを特徴とする請求項１〜９のいずれかに記載の表示装置。
【請求項１１】
前記表示手段は、
液晶層に印加される電界の強さに応じて透過する光の量を調節し、所望の映像を表示させる液晶表示パネルと、
液晶層を有し、その液晶層に印加される電界の強さに応じて複数の垂直なスリットが形成され、前記液晶表示パネルに表示されるそれぞれ異なる映像が空間上の規定された領域からしか見えないようにするスリット形成手段とを備える
ことを特徴とする請求項１〜９のいずれかに記載の表示装置。
【請求項１２】
複数の画像データに基づいた映像のシングルビュー表示又はデュアルビュー表示を行わせる工程と、
第１のタッチ専用エリア又は第２のタッチ専用エリアに対するタッチ検出を行う工程と、
前記タッチ検出された位置を示す座標データを出力する工程と、
前記デュアルビュー表示が行われているとき、前記座標データに基づき、前記第１のタッチ専用エリア又は前記第２のタッチ専用エリアのいずれがタッチされたかを判断し、タッチされた前記第１のタッチ専用エリア又は前記第２のタッチ専用エリアに対応する前記映像を認識して表示動作を制御する工程とを有する
ことを特徴とする表示装置におけるタッチ操作制御方法。
【請求項１３】
前記タッチされた第１のタッチ専用エリア又は第２のタッチ専用エリアに対応する映像を認識すると、前記対応する映像を操作するための操作画面を表示させるように前記表示動作を制御する工程を有することを特徴とする請求項１２に記載の表示装置におけるタッチ操作制御方法。
【請求項１４】
縦方向に２分割した領域の一方がタッチされると、前記第１のタッチ専用エリアがタッチされたと判断し、前記領域の他方がタッチされると、前記第２のタッチ専用エリアがタッチされたと判断する工程を有することを特徴とする請求項１２又は１３に記載の表示装置におけるタッチ操作制御方法。
【請求項１５】
横方向に２分割した領域の一方がタッチされると、前記第１のタッチ専用エリアがタッチされたと判断し、前記領域の他方がタッチされると、前記第２のタッチ専用エリアがタッチされたと判断する工程を有することを特徴とする請求項１２又は１３に記載の表示装置におけるタッチ操作制御方法。
【請求項１６】
縦方向に２分割した領域の一方の一部がタッチされと、前記第１のタッチ専用エリアがタッチされたと判断し、前記領域の他方の一部がタッチされると、前記第２のタッチ専用エリアがタッチされたと判断する工程を有することを特徴とする請求項１２又は１３に記載の表示装置におけるタッチ操作制御方法。
【請求項１７】
横方向に２分割した領域の一方の一部がタッチされると、前記第１のタッチ専用エリアがタッチされたと判断し、前記領域の他方の一部がタッチされると、前記第２のタッチ専用エリアがタッチされたと判断する工程を有することを特徴とする請求項１２又は１３に記載の表示装置におけるタッチ操作制御方法。
【発明の詳細な説明】
【技術分野】
【０００１】
本発明は、液晶表示パネル等を用いて画像を表示する表示装置に係り、特にデュアルビューの表示機能とタッチパネルの操作機能とを有した表示装置に関するものである。
【背景技術】
【０００２】
液晶表示パネルは、二つの基板の間に注入されている異方性誘電率を有する液晶層を有し、その液晶層に印加する電界の強さを調節することで、基板を透過する光の量を調節し、所望の静止画像や動画像を表示させる表示器である。このような液晶表示パネルは、軽量化、薄型化、低消費電力化等に優れており、携帯電話、カーナビ、ＰＤＡ、パーソナルコンピュータ、テレビ受信機等の身近な機器に限らず、計測機器、医療機器、産業機器全般等の表示器として採用されている。
【０００３】
ところで、上述の液晶表示パネルを用いた機器にあっては、リモコンの操作に限らず、タッチパネルの操作によって液晶表示パネルに表示される静止画像や動画像を操作することができるものがある。タッチパネルは、液晶表示パネルの前面に重ね合わされるものであり、液晶表示パネルに表示される動作選択の指示に応じたたとえばバーやキースイッチ等が表示されるタッチ操作画面にタッチすることで、タッチ操作コントロールを行うことができる。つまり、タッチ操作画面の内容そのものがスイッチとなり、直感的な操作が行えるというものであり、視認性と操作性との向上が図れるばかりか、多彩な機能を自在にコントロールすることも可能とされる。なお、タッチパネルの方式としては、電磁誘導式、電気抵抗式、静電容量式、感圧式等が知られている。
【０００４】
一方、このような液晶表示パネルは、テレビ受信における映像表示に限らず、ビデオ、ＣＤ、ＤＶＤ等のソース源からの画像データによる映像表示も可能であるが、通常、あるチャンネルの映像を表示していて、他のソース源からの映像表示を行う場合、入力ソースを切り替えるようにしている。ちなみに、マルチ表示機能を搭載した機器では、液晶表示パネルの表示エリアを複数に分割し、それぞれの表示エリアにあるチャンネルの映像と他のソース源からの映像とを表示させることは可能である。ただし、この場合には、それぞれの表示エリアに映し出される映像が同時に見えてしまうため、いずれかの表示エリアに映し出される映像を集中して見ることができないばかりか、それぞれの表示エリアが小さくなってしまうことから、それぞれの表示エリアに映し出される映像が小さくなってしまうという問題がある。
【０００５】
そこで、本出願人が提案した特許文献１に示されているデュアルビューディスプレイ技術を採用することで、表示エリアのサイズを変更することなく、あるチャンネルの映像と他のソース源からの映像とを同時に表示させることが可能となる。
【０００６】
つまり、このデュアルビューディスプレイ技術の基本原理は、図６に示すように、バックライト１の前に位置する複数の画素ａ，ｂを有する液晶表示パネル２の前面に、パララックスバリヤ（光学系分離素子）４を配置している。パララックスバリヤ４は、不透明領域によって隔たれた垂直な透光性スリット３を複数有するスクリーンであり、液晶表示パネル２の画素ａを透過したバックライト１からの光が複数の透光性スリット３を介して視聴者Ａ側に到達し、画素ｂを透過したバックライト１からの光が複数の透光性スリット３を介して視聴者Ｂ側に到達する。言い換えれば、液晶表示パネル２に表示されるそれぞれ異なる映像の二つのビュー（デュアルビュー）は、パララックスバリヤ４の複数の透光性スリット３により、空間上の規定された領域からしか見えないようにしたものである。
【０００７】
なお、このようなデュアルビューディスプレイ技術は、上述したそれぞれ異なる映像を空間上の規定された領域からしか見えないようにした２次元（２Ｄ）表示に限らず、視聴者Ａ又はＢの両眼にそれぞれ異なる映像が見えるようにすることで、立体像を表示させることができる３次元（３Ｄ）表示にも用いることが可能である。
【特許文献１】特開２００３−１７７３５７号公報
【発明の開示】
【発明が解決しようとする課題】
【０００８】
ところで、特許文献１に示されたデュアルビューディスプレイ技術と上述したタッチパネルの方式とを組み合わせてタッチパネルの操作を行わせようとしたとき、タッチパネルにタッチした者が視聴者Ａであるか視聴者Ｂであるかを識別し、そのタッチパネルの操作を視聴者Ａ又はＢが視聴している映像に対応させる必要がある。言い換えれば、タッチパネルの操作がいずれの映像に対して有効であるかを、視聴者Ａ，Ｂに容易に判断できるようにする必要がある。
【０００９】
この場合、表示器本体に視聴者Ａ又はＢが視聴している映像に対応させるための切替えスイッチ等を設けておいて、いずれか一方のタッチパネルの操作を有効にする方法が考えられる。ところが、このような方法では、視聴者Ａ又はＢがタッチパネルの操作を行おうとする度に、切替えスイッチ等を操作しなければならないため、その操作が煩雑となるばかりか、タッチパネルの操作本来の特長である、たとえば直感的な操作が行えるという点が損なわれてしまう。
【００１０】
解決しようとする問題点は、デュアルビュー表示において、タッチパネルの操作がいずれの映像に対して有効であるかの判断ができない点である。
【課題を解決するための手段】
【００１１】
本発明の表示装置は、複数の画像データに基づいた映像のシングルビュー表示又はデュアルビュー表示が可能な表示手段と、表示手段の前面に重ね合わされ、タッチ検出を行うとともに、第１のタッチ専用エリア及び第２のタッチ専用エリアを有するタッチ検出手段と、表示手段に対し、シングルビュー表示又はデュアルビュー表示を行わせる表示制御手段と、タッチ検出手段へのタッチ位置を検出してその座標データを出力するタッチ位置検出手段と、表示手段によってデュアルビュー表示が行われているとき、タッチ位置検出手段からの座標データに基づき、第１のタッチ専用エリア又は第２のタッチ専用エリアのいずれがタッチされたかを判断し、タッチされた第１のタッチ専用エリア又は第２のタッチ専用エリアに対応する映像を認識して表示制御手段による表示動作を制御する制御手段とを備えることを特徴とする。
また、制御手段は、タッチされた第１のタッチ専用エリア又は第２のタッチ専用エリアに対応する映像を認識すると、対応する映像を操作するための操作画面を表示させるように、表示制御手段による表示動作を制御するようにすることができる。
また、タッチ検出手段は、縦方向に２分割した領域の一方を第１のタッチ専用エリアとし、領域の他方を第２のタッチ専用エリアとして有しているようにすることができる。
また、タッチ検出手段は、横方向に２分割した領域の一方を第１のタッチ専用エリアとし、領域の他方を第２のタッチ専用エリアとして有しているようにすることができる。
また、タッチ検出手段は、縦方向に２分割した領域の一方の一部を第１のタッチ専用エリアとし、領域の他方の一部を第２のタッチ専用エリアとして有しているようにすることができる。
また、タッチ検出手段は、横方向に２分割した領域の一方の一部を第１のタッチ専用エリアとし、領域の他方の一部を第２のタッチ専用エリアとして有しているようにすることができる。
また、タッチ検出手段は、電磁誘導式、電気抵抗式、静電容量式、感圧式のいずれかによってタッチ検出を行うタッチパネルであるようにすることができる。
また、制御手段は、ビュー切替え手段の操作に応じて、シングルビュー表示又はデュアルビュー表示を行わせるように、表示制御手段による表示動作を制御するようにすることができる。
また、制御手段は、映像逆転切替え手段の操作に応じて、デュアルビュー表示における映像を入れ替えて表示させるように、表示制御手段による表示動作を制御するようにすることができる。
また、表示手段は、液晶層に印加される電界の強さに応じて透過する光の量を調節し、所望の映像を表示させる液晶表示パネルと、不透明領域によって隔たれた垂直な透光性スリットを複数有し、液晶表示パネルに表示されるそれぞれ異なる映像が空間上の規定された領域からしか見えないようにする光学系分離手段とを備えるようにすることができる。
また、表示手段は、液晶層に印加される電界の強さに応じて透過する光の量を調節し、所望の映像を表示させる液晶表示パネルと、液晶層を有し、その液晶層に印加される電界の強さに応じて複数の垂直なスリットが形成され、液晶表示パネルに表示されるそれぞれ異なる映像が空間上の規定された領域からしか見えないようにするスリット形成手段とを備えるようにすることができる。
本発明の表示装置におけるタッチ操作制御方法は、複数の画像データに基づいた映像のシングルビュー表示又はデュアルビュー表示を行わせる工程と、第１のタッチ専用エリア又は第２のタッチ専用エリアに対するタッチ検出を行う工程と、タッチ検出された位置を示す座標データを出力する工程と、デュアルビュー表示が行われているとき、座標データに基づき、第１のタッチ専用エリア又は第２のタッチ専用エリアのいずれがタッチされたかを判断し、タッチされた第１のタッチ専用エリア又は第２のタッチ専用エリアに対応する映像を認識して表示動作を制御する工程とを有することを特徴とする。
また、タッチされた第１のタッチ専用エリア又は第２のタッチ専用エリアに対応する映像を認識すると、対応する映像を操作するための操作画面を表示させるように表示動作を制御する工程を有するようにすることができる。
また、縦方向に２分割した領域の一方がタッチされると、第１のタッチ専用エリアがタッチされたと判断し、領域の他方がタッチされると、第２のタッチ専用エリアがタッチされたと判断する工程を有するようにすることができる。
また、横方向に２分割した領域の一方がタッチされると、第１のタッチ専用エリアがタッチされたと判断し、領域の他方がタッチされると、第２のタッチ専用エリアがタッチされたと判断する工程を有するようにすることができる。
また、縦方向に２分割した領域の一方の一部がタッチされと、第１のタッチ専用エリアがタッチされたと判断し、領域の他方の一部がタッチされると、第２のタッチ専用エリアがタッチされたと判断する工程を有するようにすることができる。
また、横方向に２分割した領域の一方の一部がタッチされると、第１のタッチ専用エリアがタッチされたと判断し、領域の他方の一部がタッチされると、第２のタッチ専用エリアがタッチされたと判断する工程を有するようにすることができる。
本発明に係る表示装置においては、タッチ検出手段に第１のタッチ専用エリア及び第２のタッチ専用エリアを設けるとともに、タッチ検出手段によってタッチ検出が行われ、タッチ位置検出手段からタッチ位置の座標データが出力されると、制御手段により、その座標データに基づき、第１のタッチ専用エリア又は第２のタッチ専用エリアのいずれがタッチされたかの判断が行われ、タッチされた第１のタッチ専用エリア又は第２のタッチ専用エリアに対応する映像を認識して表示制御手段による表示動作を制御することができる。
【発明の効果】
【００１２】
本発明の表示装置は、タッチ検出手段に第１のタッチ専用エリア及び第２のタッチ専用エリアを設けるとともに、タッチされた第１のタッチ専用エリア又は第２のタッチ専用エリアに対応する映像を認識して表示制御手段による表示動作を制御するようにしたので、デュアルビュー表示において、タッチ操作がいずれの映像に対して有効であるかの判断を容易かつ確実に行うことができる。
【発明を実施するための最良の形態】
【００１３】
デュアルビュー表示において、タッチパネルの操作がいずれの映像に対して有効であるかを判断させるために、タッチパネルにそれぞれの視聴者専用のタッチエリアを設けるようにした。
【００１４】
図１は、本発明の表示装置を液晶表示パネルを用いた液晶表示装置に適用した場合の一実施形態を説明するための図、図２〜図４は、図１の液晶表示装置におけるタッチ操作制御方法を説明するための図、図５は、図１のタッチパネルの構成を変えた場合の他の実施形態を説明するための図である。
【００１５】
図１に示す液晶表示装置は、制御ＣＰＵ１０、液晶コントローラ１１、ゲートドライバ１２、ソースドライバ１３、表示器１７、タッチ位置検出回路１８、ビュー切替えスイッチ１９、映像逆転切替えスイッチ２０を備えている。
【００１６】
制御手段としての制御ＣＰＵ１０は、ビュー切替えスイッチ１９の操作に応じて、第１画像データ及び第２画像データに基づいたデュアルビュー表示又は第１画像データ及び第２画像データのいずれか一方に基づいたシングルビュー表示を行わせるように、液晶コントローラ１１を制御する機能を有している。また、制御ＣＰＵ１０は、映像逆転切替えスイッチ２０の操作に応じて、第１画像データ及び第２画像データに基づいた映像が逆転するように、液晶コントローラ１１を制御する機能を有している。
【００１７】
ここで、第１画像データ及び第２画像データは、テレビ受信における画像データであってもよいし、ビデオ、ＣＤ、ＤＶＤ等を再生する再生機器であるソース源からの画像データのいずれであってもよい。また、デュアルビュー表示とは、第１画像データ及び第２画像データに基づいたそれぞれの映像を後述の液晶表示パネル１４に表示させ、図６で説明したように、それぞれ異なる映像を視聴者Ａ又はＢが視聴できるようにすることであり、シングルビュー表示とは第１画像データ及び第２画像データのいずれか一方に基づいた映像を後述の液晶表示パネル１４に表示させ、その映像を視聴者Ａ及びＢが視聴できるようにすることである。また、第１画像データ及び第２画像データに基づいた映像が逆転するとは、視聴者Ａが視聴している映像と視聴者Ｂが視聴している映像とを入れ替えて表示させることである。
【００１８】
また、制御ＣＰＵ１０は、タッチ位置検出回路１８からの検出結果に応じて、後述の視聴者Ａタッチ専用エリア１６ａ又は視聴者Ｂタッチ専用エリア１６ｂのいずれがタッチされたかを判断し、タッチした視聴者Ａ又はＢが視聴している映像を認識し、対応する映像を操作するための後述のタッチ操作画面１４ａ，１４ｂを、後述の液晶表示パネル１４に表示させるように液晶コントローラ１１を制御する。
【００１９】
ここで、後述の視聴者Ａタッチ専用エリア１６ａ及び視聴者Ｂタッチ専用エリア１６ｂは、後述のタッチパネル１６の座標によって設定されており、制御ＣＰＵ１０がタッチ位置検出回路１８からの検出結果である座標データから視聴者Ａタッチ専用エリア１６ａ又は視聴者Ｂタッチ専用エリア１６ｂのいずれがタッチされたかを判断することができる。
【００２０】
この場合、視聴者Ａタッチ専用エリア１６ａ及び視聴者Ｂタッチ専用エリア１６ｂを示す座標データは、図示しないＲＯＭ等の記憶媒体に格納しておき、制御ＣＰＵ１０がタッチ位置検出回路１８からの検出結果である座標データを受け取ったとき、その受け取った座標データと図示しないＲＯＭ等の記憶媒体に格納されている座標データとを照合することで、制御ＣＰＵ１０による視聴者Ａタッチ専用エリア１６ａ又は視聴者Ｂタッチ専用エリア１６ｂのいずれがタッチされたかの判断が確実に行われる。
【００２１】
また、上述したそれぞれの映像に対応する後述のタッチ操作画面１４ａ，１４ｂのデータは、図示しないＲＯＭ等の記憶媒体に格納しておき、制御ＣＰＵ１０がそのデータを読み取って液晶コントローラ１１に与えるようにしてもよいし、液晶コントローラ１１が制御ＣＰＵ１０からの制御により直接、そのデータを読み取るようにしてもよい。また、制御ＣＰＵ１０による液晶コントローラ１１に対しての各種制御は、図示しないＲＯＭ等の記憶媒体に格納された制御プログラムに基づいて行われるようにすることができる。
【００２２】
表示制御手段としての液晶コントローラ１１は、上述した制御ＣＰＵ１０の制御により、液晶表示パネル１４の表示動作をコントロールする。表示動作をコントロールするに際しては、第１画像データ及び／又は第２画像データ等に基づき、ゲートドライバ１２及びソースドライバ１３を駆動させる。ゲートドライバ１２は、後述の液晶表示パネル１４の図示しない複数の画素を駆動するための走査電圧を印加する。ソースドライバ１３は、後述の液晶表示パネル１４の図示しない複数の画素を駆動するための書込み電圧を印加する。
【００２３】
表示器１７は、液晶表示パネル１４、パララックスバリヤ（光学系分離素子）１５、タッチパネル１６を備えている。ここで、液晶表示パネル１４及びパララックスバリヤ１５は、表示手段であり、タッチパネル１６はタッチ検出手段である。
【００２４】
液晶表示パネル１４は、図示しない二つの基板の間に注入されている異方性誘電率を有する液晶層を有し、その液晶層に印加される電界の強さに応じて基板を透過する図示しないバックライトからの光の量を調節し、所望の映像を表示させる。パララックスバリヤ１５は、液晶表示パネル１４の前面に重ね合わされるものであり、不透明領域によって隔たれた垂直な透光性スリット１５ａを複数有するスクリーンである。
【００２５】
ここで、上述したデュアルビュー表示を行わせる場合には、たとえば液晶表示パネル１４の隣り合う画素を第１画像データ又は第２画像データに応じて駆動させればよい。言い換えれば、隣り合う画素は、互いに異なる画像データに応じて駆動されることになる。なお、画素は１個おきに互いに異なる画像データに応じて駆動されるようにしてもよいし、２個おき、あるいは３個おき等のように複数個おきに駆動されるようにしてもよいことは勿論であるが、いずれにしてもパララックスバリヤ１５の透光性スリット１５ａの幅に応じて設定すればよい。
【００２６】
これにより、図６で説明したように、パララックスバリヤ１５の複数の透光性スリット１５ａを通して見える光が空間上の規定された領域からしか見えないことになるため、たとえば視聴者Ａは第１画像データに応じた映像のみを視聴することができ、視聴者Ｂは第２画像データに応じた映像のみを視聴することができる。なお、それぞれの映像に応じた音声は、図示しないスピーカから出力され、それぞれの視聴者Ａ，Ｂに混在して伝達されるが、たとえばそのスピーカを超指向性を有するものとすることで、それぞれの視聴者Ａ，Ｂにそれぞれの映像に応じた音声のみを伝達させることは可能である。
【００２７】
タッチパネル１６は、パララックスバリヤ１５の前面に重ね合わされるものであり、予め設定されている視聴者Ａタッチ専用エリア１６ａ及び視聴者Ｂタッチ専用エリア１６ｂを有し、これら視聴者Ａタッチ専用エリア１６ａ及び視聴者Ｂタッチ専用エリア１６ｂに対するタッチ検出を行う。
【００２８】
ここで、第１のタッチ専用エリアとしての視聴者Ａタッチ専用エリア１６ａは、タッチパネル１６の左下方の端に設けられ、第２のタッチ専用エリアとしての視聴者Ｂタッチ専用エリア１６ｂは、タッチパネル１６の右下方の端に設けられている。これら視聴者Ａタッチ専用エリア１６ａ及び視聴者Ｂタッチ専用エリア１６ｂの箇所は、タッチパネル１６の位置（座標）によって設定されたものであり、またその位置（座標）は上述した制御ＣＰＵ１０によって識別される。
【００２９】
このように、視聴者Ａタッチ専用エリア１６ａ及び視聴者Ｂタッチ専用エリア１６ｂを、それぞれ左下方の端と右下方の端に設けることで、視聴者Ａ，Ｂによる視聴者Ａタッチ専用エリア１６ａ及び視聴者Ｂタッチ専用エリア１６ｂの判断が付けやすくなる。また、視聴者Ａタッチ専用エリア１６ａ及び視聴者Ｂタッチ専用エリア１６ｂは、視聴者Ａ，Ｂのそれぞれに近い方に設けられているため、たとえば視聴者Ａが視聴者Ｂタッチ専用エリア１６ｂをタッチするといった誤操作を防止できる。
【００３０】
なお、視聴者Ａタッチ専用エリア１６ａ及び視聴者Ｂタッチ専用エリア１６ｂは、特に、タッチパネル１６に視認できるように表示させる必要はないが、必要であれば、視聴者Ａタッチ専用エリア１６ａ及び視聴者Ｂタッチ専用エリア１６ｂの輪郭のみを視認できるように表示させてもよいし、視聴者Ａタッチ専用エリア１６ａ及び視聴者Ｂタッチ専用エリア１６ｂの部分を薄い色で表示させてもよい。
【００３１】
いずれにしても、液晶表示パネル１４に表示される映像に邪魔にならない程度の表示であればよい。また、視聴者Ａタッチ専用エリア１６ａ及び視聴者Ｂタッチ専用エリア１６ｂは表示させないでおいて、視聴者Ａタッチ専用エリア１６ａ及び視聴者Ｂタッチ専用エリア１６ｂにタッチされたとき、液晶表示パネル１４にその視聴者Ａタッチ専用エリア１６ａ及び視聴者Ｂタッチ専用エリア１６ｂを数秒間程度、表示させてもよい。この場合、液晶表示パネル１４による表示によって、タッチ操作の確認が行える。
【００３２】
また、視聴者Ａタッチ専用エリア１６ａ及び視聴者Ｂタッチ専用エリア１６ｂは、タッチパネル１６の左下方の端と右下方の端に限らず、タッチパネル１６の面内であればいずれの箇所であってもよいが、これについての詳細は後述する。また、タッチパネル１６としては、電磁誘導式、電気抵抗式、静電容量式、感圧式のいずれかを用いてもよい。
【００３３】
タッチ位置検出手段としてのタッチ位置検出回路１８は、タッチパネル１６にタッチされた位置を、タッチパネル１６の座標から検出し、その検出結果を座標データとして制御ＣＰＵ１０に与える。ビュー切替え手段としてのビュー切替えスイッチ１９は、第１画像データ及び第２画像データに基づいたデュアルビュー表示又は第１画像データ及び第２画像データのいずれか一方に基づいたシングルビュー表示のいずれかを行わせる際に操作される。デュアルビュー表示又はシングルビュー表示の切り替えは、ビュー切替えスイッチ１９を押す毎に切り替わるようにすることができる。この場合、ビュー切替えスイッチ１９を押す毎に切り替わるような制御プログラムを図示しないＲＯＭ等の記憶媒体に格納しておき、制御ＣＰＵ１０によってその制御プログラムを読み込ませるようにすればよい。
【００３４】
映像逆転切替え手段としての映像逆転切替えスイッチ２０は、上述したように、視聴者Ａが視聴している映像と視聴者Ｂが視聴している映像とを入れ替えて表示させる際に操作される。映像逆転切替え表示は、映像逆転切替えスイッチ２０を押す毎に切り替わるようにすることができる。この場合、映像逆転切替えスイッチ２０を押す毎に切り替わるような制御プログラムを図示しないＲＯＭ等の記憶媒体に格納しておき、制御ＣＰＵ１０によってその制御プログラムを読み込ませるようにすればよい。
【００３５】
なお、制御ＣＰＵ１０によって読み込まれる制御プログラムを変更することで、ビュー切替えスイッチ１９により、デュアルビュー表示、シングルビュー表示、映像逆転切替え表示の３つのモードを選択させるようにすることも可能である。つまり、たとえばビュー切替えスイッチ１９の操作に応じてデュアルビュー表示とシングルビュー表示との切り替えが行われるようにし、デュアルビュー表示のときにビュー切替えスイッチ１９がたとえば数秒以上押された場合、映像の逆転表示が行われるようにすることができる。この場合、映像逆転切替えスイッチ２０を省くことができる。
【００３６】
次に、上述した構成の液晶表示装置におけるタッチ操作制御方法について説明する。
なお、以下の説明においては、上述した表示器１７が運転席と助手席から見える位置に設置され、さらにソース源がたとえばＤＶＤプレーヤとカーナビであって、第１画像データがＤＶＤプレーヤによって再生されるＤＶＤの再生映像のデータであり、第２画像データが地図再生映像のデータであるとする。また、視聴者Ａは助手席側に座り、視聴者Ｂは運転席側に座っているものとする。また、以下の説明においては、デュアルビュー表示のみについて説明するものとする。
【００３７】
そしてまず、図２に示すように、ビュー切替えスイッチ１９の操作の有無が判断される。ここで、初期モードがシングルビュー表示であるとすると、ビュー切替えスイッチ１９が押されることにより、制御ＣＰＵ１０によってデュアルビュー表示へのビュー切替え指示有りと判断される（ステップＳ１）。
【００３８】
このとき、制御ＣＰＵ１０により、第１画像データ及び第２画像データに基づいたそれぞれの映像を液晶表示パネル１４に表示させるように液晶コントローラ１１が制御される（ステップＳ２）。これにより、液晶コントローラ１１によってゲートドライバ１２及びソースドライバ１３の駆動がコントロールされ、上述したように、たとえば隣り合う画素が第１画像データ又は第２画像データに応じて駆動される。そして、それぞれの画素からの光がパララックスバリヤ１５の透光性スリット１５ａを通して視聴者Ａと視聴者Ｂに届くため、視聴者Ａ及び視聴者Ｂはそれぞれ異なる映像を視聴することができるデュアルビュー表示が行われる（ステップＳ３）。ここで、視聴者Ａは第１画像データに基づいた映像を視聴し、視聴者Ｂは第２画像データに基づいた映像を視聴しているものとする。
【００３９】
次いで、デュアルビュー表示が行われているとき、タッチパネル１６へのタッチの有無が判断される（ステップＳ４）。すなわち、たとえば図３（ａ）に示すように、タッチパネル１６の視聴者Ａタッチ専用エリア１６ａがタッチされると、タッチパネル１６によってそのタッチが検出される（ステップＳ５）。このとき、タッチ位置検出回路１８によってそのタッチ位置が検出され、そのタッチ位置を示す座標データが制御ＣＰＵ１０に与えられると、制御ＣＰＵ１０によりそのタッチ位置が視聴者Ａタッチ専用エリア１６ａであると判断される（ステップＳ６）。
【００４０】
視聴者Ａタッチ専用エリア１６ａであるとの判断は、上述したように、たとえば図示しないＲＯＭ等の記憶媒体に格納してある座標データと、タッチ位置検出回路１８からの検出結果である座標データとを照合すればよい。
【００４１】
視聴者Ａタッチ専用エリア１６ａがタッチされたと判断されると、制御ＣＰＵ１０により、液晶コントローラ１１が図３（ａ）に示す液晶表示パネル１４に、たとえば図３（ｂ）に示すような第１画像データに基づいた映像を操作するためのタッチ操作画面１４ａを表示させるように制御される（ステップＳ７）。図３（ｂ）に示すタッチ操作画面１４ａは、図示しないソース源であるＤＶＤプレーヤに対応した動作選択内容を示すものであり、たとえば「再生」、「早送り」、「巻戻し」、「停止」のそれぞれの動作選択ボタンが表示される。ここで、「再生」、「早送り」、「巻戻し」、「停止」のそれぞれの動作選択ボタンのいずれかに対応する箇所がタッチされると（ステップＳ８）、タッチ位置検出回路１８によってそのタッチ位置が検出され（ステップＳ９）、そのタッチ位置を示す座標データが制御ＣＰＵ１０に与えられる。
【００４２】
このとき、制御ＣＰＵ１０により「再生」、「早送り」、「巻戻し」、「停止」の動作選択ボタンのいずれかが操作されたことを示す制御信号が図示しないＤＶＤプレーヤ側に送信される（ステップＳ１０）。これにより、ＤＶＤプレーヤ側にて「再生」、「早送り」、「巻戻し」、「停止」の動作選択ボタンのいずれかに対応した動作が行われる。
【００４３】
なお、制御ＣＰＵ１０によるタッチ操作画面１４ａの動作選択ボタンの操作の有無は、上記同様に、それぞれの動作選択ボタンの位置を示す座標データを、図示しないＲＯＭ等の記憶媒体に格納しておき、制御ＣＰＵ１０がタッチ位置検出回路１８からの検出結果である座標データを受け取ったとき、その受け取った座標データと図示しないＲＯＭ等の記憶媒体に格納されている座標データとを照合することで、判断することができる。
【００４４】
ここで、図３（ｂ）に示すようなタッチ操作画面１４ａは、所定時間経過後、消去されるようにしてもよいし、タッチ操作画面１４ａに「戻る」の動作選択ボタンを設けておいて、その「戻る」の動作選択ボタンが操作されたときに消去されるようにしてもよい。
【００４５】
一方、図４（ａ）に示すように、タッチパネル１６の視聴者Ｂタッチ専用エリア１６ｂがタッチされると（ステップＳ４）、タッチ位置検出回路１８によってそのタッチ位置が検出される（ステップＳ５）。そして、タッチ位置検出回路１８によって検出されたタッチ位置を示す座標データが制御ＣＰＵ１０に与えられると、制御ＣＰＵ１０により視聴者Ｂタッチ専用エリア１６ｂがタッチされたと判断される（ステップＳ６）。
【００４６】
視聴者Ｂタッチ専用エリア１６ｂであるとの判断は、上述したように、たとえば図示しないＲＯＭ等の記憶媒体に格納してある座標データと、タッチ位置検出回路１８からの検出結果である座標データとを照合すればよい。
【００４７】
視聴者Ｂタッチ専用エリア１６ｂがタッチされたと判断されると、制御ＣＰＵ１０により、液晶コントローラ１１が図４（ａ）に示す液晶表示パネル１４に、たとえば図４（ｂ）に示すような第２画像データに基づいた映像を操作するためのタッチ操作画面１４ｂを表示させるように制御される（ステップＳ７）。図４（ｂ）に示すタッチ操作画面１４ｂは、図示しないソース源であるカーナビの動作選択内容を示すものであり、たとえば「行き先」、「登録」、「ジャンル」、「設定」、「戻る」のそれぞれの動作選択ボタンが表示される。ここで、「行き先」、「登録」、「ジャンル」、「設定」、「戻る」のそれぞれの動作選択ボタンのいずれかに対応する箇所がタッチされると（ステップＳ８）、タッチ位置検出回路１８によってそのタッチ位置が検出され（ステップＳ９）、そのタッチ位置を示す座標データが制御ＣＰＵ１０に与えられる。このとき、制御ＣＰＵ１０により「行き先」、「登録」、「ジャンル」、「設定」、「戻る」の動作選択ボタンのいずれかが操作されたことを示す制御信号が図示しないカーナビ側に送信される（ステップＳ１０）。これにより、カーナビ側にて「行き先」、「登録」、「ジャンル」、「設定」、「戻る」の動作選択ボタンのいずれかに対応した動作が行われる。
【００４８】
なお、制御ＣＰＵ１０によるタッチ操作画面１４ｂの動作選択ボタンの操作の有無は、上記同様に、それぞれの動作選択ボタンの位置を示す座標データを、図示しないＲＯＭ等の記憶媒体に格納しておき、制御ＣＰＵ１０がタッチ位置検出回路１８からの検出結果である座標データを受け取ったとき、その受け取った座標データと図示しないＲＯＭ等の記憶媒体に格納されている座標データとを照合することで、判断することができる。
【００４９】
ここで、図４（ｂ）に示すようなタッチ操作画面１４ｂは、「戻る」の動作選択ボタンが操作されたときに消去されるようにしてもよいし、所定時間経過後、消去されるようにしてもよい。
【００５０】
さらに、このようなデュアルビュー表示において、映像逆転切替えスイッチ２０が操作されると（ステップＳ１１）、制御ＣＰＵ１０により、第１画像データ及び第２画像データに基づいたそれぞれの映像を液晶表示パネル１４に逆転表示させるように液晶コントローラ１１が制御される（ステップＳ１２）。この場合、視聴者Ａタッチ専用エリア１６ａ又は視聴者Ｂタッチ専用エリア１６ｂがタッチされると、（ステップＳ４）に戻り、上記同様に、制御ＣＰＵ１０により、液晶コントローラ１１が図３（ｂ）又は図４（ｂ）に示すようなタッチ操作画面１４ａ又は１４ｂを表示させるように制御される（ステップＳ５〜Ｓ１０）。この場合、第１画像データ及び第２画像データに基づいたそれぞれの映像が逆転表示されるため、タッチ操作画面１４ａ，１４ｂはそれぞれのソース源に対応した動作選択内容となる。
【００５１】
このように、本実施形態では、タッチパネル１６に視聴者Ａタッチ専用エリア１６ａ及び視聴者Ｂタッチ専用エリア１６ｂを設けるとともに、タッチパネル１６によってタッチ検出が行われ、タッチ位置検出回路１８からタッチ位置の座標データが出力されると、制御ＣＰＵ１０により、その座標データに基づき、視聴者Ａタッチ専用エリア１６ａ又は視聴者Ｂタッチ専用エリア１６ｂのいずれがタッチされたかの判断が行われ、タッチされた視聴者Ａタッチ専用エリア１６ａ又は視聴者Ｂタッチ専用エリア１６ｂに対応する映像を認識して液晶コントローラ１１による表示動作を制御するようにしたので、デュアルビュー表示において、タッチ操作がいずれの映像に対して有効であるかの判断を容易かつ確実に行うことができる。
【００５２】
なお、本実施形態では、デュアルビュー表示が行われているとき、視聴者Ａタッチ専用エリア１６ａ又は視聴者Ｂタッチ専用エリア１６ｂのいずれかのタッチを検出することで、それぞれのタッチ位置に対応する映像に応じたタッチ操作画面１４ａ又は１４ｂを表示させる場合について説明したが、シングルビュー表示が行われている場合は、それぞれの視聴者Ａタッチ専用エリア１６ａ及び視聴者Ｂタッチ専用エリア１６ｂをシングルビュー表示の映像に対応させてもよい。
【００５３】
また、本実施形態では、図１に示したように、視聴者Ａタッチ専用エリア１６ａを、タッチパネル１６の左下方の端に設け、視聴者Ｂタッチ専用エリア１６ｂを、タッチパネル１６の右下方の端に設けた場合について説明したが、左右の下方の端に限らず、左右の中程の端又は上方の端であってもよいし、さらにはタッチパネル１６を縦方向に２分割したそれぞれの領域内のいずれか一部にあってもよい。
【００５４】
また、視聴者Ａタッチ専用エリア１６ａ及び視聴者Ｂタッチ専用エリア１６ｂは、視聴者Ａ又はＢによる操作により、その位置を任意に変更することも可能である。いずれにしても、視聴者Ａタッチ専用エリア１６ａ及び視聴者Ｂタッチ専用エリア１６ｂの位置（座標）が変更された場合、その変更された位置（座標）が制御ＣＰＵ１０によって識別されるようにすればよい。
【００５５】
また、視聴者Ａタッチ専用エリア１６ａ及び視聴者Ｂタッチ専用エリア１６ｂは、図１に示したように、タッチパネル１６の左右の一部とした場合について説明したが、これに限らず、図５に示すように、縦方向に２分割したタッチパネル１６のそれぞれの領域全体を、それぞれ視聴者Ａタッチ専用エリア１６ａ及び視聴者Ｂタッチ専用エリア１６ｂとしてもよい。また、横方向に２分割したタッチパネル１６のそれぞれの領域全体を、それぞれ視聴者Ａタッチ専用エリア１６ａ及び視聴者Ｂタッチ専用エリア１６ｂとしてもよい。
【００５６】
この場合には、視聴者Ａタッチ専用エリア１６ａ及び視聴者Ｂタッチ専用エリア１６ｂの領域が大きくなるので、タッチ操作を容易かつ確実に行うことができる。
【００５７】
また、横方向に２分割したタッチパネル１６のそれぞれの領域の一部を、それぞれ視聴者Ａタッチ専用エリア１６ａ及び視聴者Ｂタッチ専用エリア１６ｂとしてもよい。
【００５８】
また、本実施形態では、デュアルビュー表示を行わせるために、複数の透光性スリット１５ａを有するパララックスバリヤ１５を用いた場合について説明したが、この例に限らず、液晶表示パネル１４のような液晶層を有し、その液晶層に印加される電界の強さに応じて複数の垂直なスリットが形成されるスリット形成手段を用いてもよい。この場合、デュアルビュー表示の場合には、複数の垂直なスリットを出現させ、シングルビュー表示の場合には複数の垂直なスリットを消すようにすればよい。
【産業上の利用可能性】
【００５９】
平面パネル型の液晶表示装置に限らず、ブラウン管型の表示装置に適用可能である。また、平面パネル型としては、液晶表示パネル１４に限らず、プラズマ・ディスプレイ（Plasma Display Panel） や、有機ＥＬ（Erectronic Luminescence）ディスプレイにも適用可能である。また、カーナビに限らず、デュアルビュー表示が可能な表示器１７を搭載している機器であればよく、携帯電話、ＰＤＡ、パーソナルコンピュータ、テレビ受信機等の身近な機器に限らず、計測機器、医療機器、産業機器全般等にも適用可能である。また、２次元（２Ｄ）表示に限らず、視聴者Ａ又はＢの両眼にそれぞれ異なる映像が見えるようにすることで、立体像を表示させることができる３次元（３Ｄ）表示にも適用可能である。
【図面の簡単な説明】
【００６０】
【図１】本発明の表示装置を液晶表示パネルを用いた液晶表示装置に適用した場合の一実施形態を説明するための図である。
【図２】図１の液晶表示装置におけるタッチ操作制御方法を説明するためのフローチャートである。
【図３】図１の液晶表示装置におけるタッチ操作制御方法を説明するための図である。
【図４】図１の液晶表示装置におけるタッチ操作制御方法を説明するための図である。
【図５】図１のタッチパネルの構成を変えた場合の他の実施形態を説明するための図である。
【図６】従来のデュアルビュー表示の原理を説明するための図である。
【符号の説明】
【００６１】
１０  制御ＣＰＵ
１１  液晶コントローラ
１４  液晶表示パネル
１４ａ，１４ｂ  タッチ操作画面
１５  パララックスバリヤ
１５ａ  透光性スリット
１６  タッチパネル
１６ａ  視聴者Ａタッチ専用エリア
１６ｂ  視聴者Ｂタッチ専用エリア
１７  表示器
１８  タッチ位置検出回路
１９  ビュー切替えスイッチ
２０  映像逆転切替えスイッチ
【図１】
2005071286.tif 000003
【図２】
2005071286.tif 000004
【図３】
2005071286.tif 000005
【図４】
2005071286.tif 000006
【図５】
2005071286.tif 000007
【図６】
2005071286.tif 000008